(57)【要約】【課題】ユーザに広告などのコンテンツを確実に配信することができ、広告などの効果を高めることが可能となる、公衆インターネット接続サービスにおけるコンテンツ配信連動による接続制御システムを提供する。【解決手段】インターネット網への接続機能とコンテンツ受信機能とを有するアクセス装置を用いてインターネットへの接続を求めるユーザに対して、公の場所においてインターネット接続を提供する公衆インターネット接続サービスにおけるコンテンツ配信連動による接続制御システムにおいて、前記アクセス装置が、初めにサービス提供者の設備に接続したときに限定した宛先のみと通信させる手段と、前記アクセス装置が前記サービス提供者の設備を介して提供されるコンテンツを受信した後で、前記アクセス装置から発行される受信確認応答を受信し、前記アクセス装置と任意の宛先との間の通信を許可する手段とを備える。【選択図】図１
2008060930.tif 000002
【特許請求の範囲】
【請求項１】
インターネット網への接続機能とコンテンツ受信機能とを有するアクセス装置を用いてインターネットへの接続を求めるユーザに対して、公の場所においてインターネット接続を提供する公衆インターネット接続サービスにおけるコンテンツ配信連動による接続制御システムにおいて、
前記アクセス装置が、初めにサービス提供者の設備に接続したときに限定した宛先のみと通信させる手段と、
前記アクセス装置が前記サービス提供者の設備を介して提供されるコンテンツを受信した後で、前記アクセス装置から発行される受信確認応答を受信し、前記アクセス装置と任意の宛先との間の通信を許可する手段とを備えることを特徴とする接続制御システム。
【請求項２】
インターネット網への接続機能とコンテンツ受信機能とを有するアクセス装置を用いてインターネットへの接続を求めるユーザに対して、公の場所においてインターネット接続を提供する公衆インターネット接続サービスにおけるコンテンツ配信連動による接続制御システムにおいて、
前記ユーザのアクセス装置を収容するための基地局装置と、
コンテンツを前記アクセス装置に対して配信する機能を有する配信装置と、
前記コンテンツの受信を前記ユーザに対して選択させるための機能、もしくは、前記コンテンツ自体を前記アクセス装置に受信させる機能を有する誘導装置と、
前記アクセス装置の接続可能領域の制限を行う機能を持つ関門装置と、
前記アクセス装置が前記配信装置から提供されるコンテンツを受信した後に、前記アクセス装置から発行される受信確認応答を受けて受信判定する機能、および記録する機能、並びに前記判定を契機に前記関門装置に対して、前記アクセス装置の任意の宛先との通信を許可させるための機能を有する管理装置とを備え、
前記アクセス装置が、インターネットへ接続する際に、はじめは限定した宛先のみとしか通信できず、前記配信装置から提供されるコンテンツを受信し、コンテンツの受信後に受信確認応答を行うことにより、任意の宛先と通信を行うことが可能となることを特徴とする接続制御システム。
【請求項３】
前記コンテンツをＩＰマルチキャストを用いて配信する際に、
前記管理装置は、前記アクセス装置が、前記コンテンツを予め定めた時間以上受信した後に、前記関門装置に接続許可を与える手段を有することを特徴とする請求項２に記載の接続制御システム。
【請求項４】
前記関門装置の機能を、前記基地局および基地局認証装置に置き、
前記基地局は、限定した宛先のみへの通信のみを提供するＶＬＡＮと、任意の宛先と通信するＶＬＡＮとを有線側ネットワークに有するとともに、前記基地局認証装置からの認証時の指示に従い、前記アクセス装置の接続先ＶＬＡＮを選択する機能を有し、
前記基地局認証装置は、いずれかの装置上に存在する管理テーブルの内容に基づき、指示するＶＬＡＮを判定し、
前記管理装置は、前記ユーザが前記コンテンツを受信したかどうかに応じて管理テーブルの内容を書き換えることを特徴とする請求項２または請求項３に記載の接続制御システム。
【請求項５】
前記管理テーブルは、前記アクセス装置のＭＡＣアドレスと、接続を許容するＶＬＡＮを示すＶＬＡＮ  ＩＤの関連を記したものであり、
前記管理装置は、前記アクセス装置からのコンテンツ受信後の受信確認応答に応じて、前記ＶＬＡＮ  ＩＤを書き換えることを特徴とする請求項４に記載の接続制御システム。
【請求項６】
前記管理装置は、前記管理テーブルの内容を変更後、前記基地局に対して、前記アクセス装置の切断指示を発行することを特徴とする請求項４または請求項５に記載の接続制御システム。
【請求項７】
前記関門装置の機能を、前記基地局および基地局認証装置に置き、
前記基地局は、１段階目の認証の後に２段階目の認証を実施する２段階の認証手順を有し、
１段階目の認証の後に、前記アクセス装置からは限定した宛先のみへの疎通を許可し、前記アクセス装置から送信される２段階目の認証データの疎通を禁止し、
前記管理装置からの指示により、前記禁止状態を終了することを特徴とする請求項２または請求項３に記載の接続制御システム。
【請求項８】
前記管理装置は、前記コンテンツと接続許容時間の関係を記した情報を保持し、
前記情報に基づき、前記アクセス装置に対して、受信コンテンツに対応する接続許容時間のみ任意の宛先との通信を許容し、
前記接続許容時間通過後、限定した宛先のみとしか通信できない状態に戻すことを特徴とする請求項２ないし請求項７のいずれか１項に記載の接続制御システム。
【請求項９】
前記コンテンツの配信装置は、複数のコンテンツ配信を行う機能を有し、
前記管理装置は、前記アクセスが複数コンテンツを受信した場合には、各々のコンテンツに対する接続許容時間の総和を算出し、これをもって前記アクセス装置に対する接続許容時間とすることを特徴とする請求項８に記載の接続制御システム。
【請求項１０】
前記管理装置は、前記コンテンツと接続品質の関係を記した情報を保持する手段と、
前記保持した情報に基づき、前記アクセス装置に対して、受信コンテンツに対応する接続品質での通信を許容する手段とを有することを特徴とする請求項２ないし請求項９のいずれか１項に記載の接続制御システム。
【請求項１１】
前記システム内に配置されるいずれかの装置は、コンテンツ配信実績の情報を記録する機能と、
前記情報から対価を算出する機能と、
前記対価に対する請求情報をコンテンツ提供者に送付する機能とを有することを特徴とする請求項１ないし請求項１０のいずれか１項に記載の接続制御システム。
【請求項１２】
インターネット網への接続機能とコンテンツ受信機能とを有するアクセス装置を用いてインターネットへの接続を求めるユーザに対して、公の場所においてインターネット接続を提供する公衆インターネット接続サービスにおいて、前記アクセス装置が、初めにサービス提供者の設備に接続したときに限定した宛先のみとしか通信できず、配信装置から提供されるコンテンツを受信し、コンテンツの受信後に受信確認応答を行うことにより、任意の宛先と通信を行うことが可能となるコンテンツ配信連動による接続制御システムにおける管理装置であって、
コンテンツリストを管理するコンテンツリスト管理部と、
前記アクセス装置からの前記受信確認応答を受信する端末管理部と、
前記端末管理部で受信した前記受信確認応答に基づき関門装置を制御し、前記アクセス装置からインターネットへの接続を許可する関門装置制御部とを備えることを特徴とする管理装置。
【請求項１３】
前記接続制御システム内に、前記アクセス装置のＭＡＣアドレスと、接続を許容するＶＬＡＮを示すＶＬＡＮ  ＩＤの関連を記した管理テーブルを有し、
認証装置からの前記管理テーブル検索問い合わせを受信し、管理テーブル検索応答を前記認証装置に返答するデータベース応答対応部を備え、
前記端末管理部は、前記アクセス装置からのコンテンツ受信後の受信確認応答に応じて、前記管理テーブル内の前記ＶＬＡＮ  ＩＤを書き換えることを特徴とする請求項１２に記載の管理装置。
【請求項１４】
前記アクセス装置に対する２段階の認証手順における、２段階目の認証に際して必要となる電子ファイルを格納するストレージ部を備えることを特徴とする請求項１２に記載の管理装置。
【請求項１５】
請求項１２ないし請求項１４のいずれか１項に記載の管理装置の機能を、コンピュータに実行させるためのプログラム。
【発明の詳細な説明】
【技術分野】
【０００１】
本発明は、接続制御システム及び管理装置並びにプログラムに係り、特に、公衆インターネット接続サービスにおけるコンテンツ配信システムおよび公衆インターネット接続サービス提供方式に関するものである。
【背景技術】
【０００２】
ホテルの客室におけるインターネット接続サービスや公衆無線ＬＡＮサービス等では、Ｗｅｂインタフェースを用いたユーザ認証が広く行われている。例えば、Nomadix社の認証装置プロダクト（例えば、AG3000などの製品）では、この認証画面は、ｈｔｍｌファイルにより利用者端末に提供されるものであり、事業者が利用者に対して何らかのインフォメーションやバナー広告を画面上に表示することは一般的な技術として可能である。
また、このユーザ認証完了時に、事業者の指定するポータルページを利用者のＷｅｂブラウザ上に強制的に表示する機能も実装されており、例えば、このポータルページに広告コンテンツを設置することも一般的である。
広告用のコンテンツについてみて見ると、映像コンテンツによる広告については、インターネット上に散在はしているが、広告手法としてのネット広告は一般的な手法とは成りえていない。
商業的な公衆無線ＬＡＮサービスにおいては、利用者は接続に係わる利用料金を支払うことでインターネット接続を使用している。利用者に対しては無料で接続サービスを提供している公衆無線ＬＡＮ提供者も存在するが、これは、公衆無線ＬＡＮ接続を他の事業の業績を上げるための補助的手段として用いているためであり、公衆無線ＬＡＮのサービスにより収益を上げる事業としての枠組みとは異なる。公衆無線ＬＡＮにおける接続料金負担のモデルを図４の４０１に示す。
【発明の開示】
【発明が解決しようとする課題】
【０００３】
公衆インターネット接続サービス利用者等に対してネットワーク接続時に静的な広告コンテンツを単に提示する仕組みは、背景技術に述べたように、既存の技術で実現できる。このように、利用者に対して一方向的に広告表示を行うことは可能であるが、利用者がこの広告を受信する動機が薄く、十分な広告効果を期待することが困難である。
また、広告表示はしたが、実は利用者はその広告を目にも留めていなかったという可能性もある。そのため、このような形態で広告コンテンツを配信するとしても、利用者にコンテンツ自体に注目してもらうための仕組みが必要である。
広告媒体としてバナー広告などの静的なコンテンツは一般的に多く利用されている手法であり、利用者に対するインパクトの面で物足りない。その点で、利用者が受信すれば高い訴求効果が期待できる映像／音声広告は広告手法としては有望である。しかしながら、単に、映像／音声広告へのリンクをユーザに提供するだけでは、利用者に映像／音声広告を視聴してもらえない、または、視聴を開始しても最後まで視聴を続けてもらえるかわからないという課題がある。
【０００４】
一方、映像／音声コンテンツ、特に、広帯域を要する映像コンテンツは、ネットワークリソース不足を引き起こす可能性があり、十分な品質を推持できない可能性が考えられる。そのため、この映像／音声コンテンツの引き超こすネットワークリソース不足による品質劣化を緩和する手段が必要となる。
そこで、ネットワークリソース不足を解消する手段として同報（マルチキャスト）型のコンテンツの配信の使用することは有効な対策と考えられるが、利用者がそのコンテンツを最後まで受信したかどうかを判断することが困難であるという問題がある。
ユニキャストによるストリーミングの配信であれば、当該端末の視聴終了時刻を正確に把握することが可能であるが、マルチキャストの場合、特定の端末の視聴終了時刻を把握することが難しい。
また、利用者に対する認証方式は多様化しており、例えば、公衆無線ＬＡＮ接続サービスを例に取ると、無線端末認証は行わずに利用者にＩＤとパスワ−ドを手入力させて利用者本人を特定する手法もあれば、端末をIEEE802.1xを用いて認証する場合もあり、これらの認証が用いられた場合でも、本発明が効果を発揮することが必要である。
【０００５】
本発明においては、利用者がコンテンツ受信を行うことでインターネット接続を利用できる方式を提案するが、インターネット接続時間を無制限とすると、無為にネットワークリソース（端末に払い出すＩＰアドレス数など）を消費するケ−スもありうる。また、長時間に渡ってインターネット接続を行う利用者に対しては、一定時間おきに再度広告を受信してもらえる仕組みが事業者には必要となる。
公衆無線ＬＡＮ接続サービスを例にとれば、公衆無線ＬＡＮの利用に際しての利用者の料金負担の面においては、出先で突発的に公衆無線ＬＡＮを利用したいユーザは、公衆無線ＬＡＮ事業者と事前実約をしていない、プリペイドカードを購入していないといった理由から、公衆無線ＬＡＮを利用できないケ−スが存在した。また、事前契約なしでの利用を許容する公衆無線ＬＡＮ事業者も存在するが、その場合は、利用者はその場で氏名、クレジットカード番号等の情報を入力する必要があり、利用促進に際しての障害となっている。
また、公衆無線ＬＡＮ事業者側においても、スポット的、イベント的に公衆無線ＬＡＮスポットを構築するような場合には、対象となる利用者は長期にわたっての継続的な利用者ではなく、そのため、利用者から料金を撤収するための課金システムを構築することは困難であった。
本発明は、前記従来技術の問題点を解決するためになされたものであり、本発明の目的は、ユーザに広告などのコンテンツを確実に配信することができ、広告などの効果を高めることが可能となる、公衆インターネット接続サービスにおけるコンテンツ配信連動による接続制御システムを提供することにある。
また、本発明の他の目的は、前述の公衆インターネット接続サービスにおけるコンテンツ配信連動による接続制御システムに適用される管理装置を提供することにある。
また、本発明の他の目的は、前述の管理装置をコンピュータに実行させるためのプログラムを提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
本発明は、以下のようにして実現される。
本発明の公衆インターネット接続サービスにおけるコンテンツ配信連動による接続制御システムの動作シーケンスを図１に示す。
ユーザがアクセス装置１１１を用いて公衆インターネット接続サービス網に接続（ステップＳ１０１）してきた際には、そのアクセス装置１１１は、はじめは限定された宛先としか通信できない。
その状態において、ユーザがインターネット上の任意のサイトに接続を試みた場合（ステップＳ１０２）に、誘導装置１１４はアクセス装置１１１に対してコンテンツの受信を指示する（ステップＳ１０３）。
アクセス装置１１１は、配信装置１１６からコンテンツを受信（ステップＳ１０４）した後、受信確認応答のメッセージを管理装置１１３に対して送信する（ステップＳ１０５）。管理装置１１３は、アクセス装置１１１がコンテンツの受信を行ったと判断して、関門装置１１５に対して、アクセス装置１１１から任意の宛先（ここでは、Ｗｅｂサーバ１１７）への通信を許可させる（ステップＳ１０６）。この際、管理装置１１３は、アクセス装置１１１が指定のコンテンツを受信したことをログに記録する。
以上の手順を経て、アクセス装置１１１は任意のサイトに接続可能となる（ステップＳ１０７）。
【０００７】
さらに本発明は、以下のようにして実現される。
コンテンツの配信にＩＰマルチキャストの手法を用いる際、管理装置１１３は、ユーザのアクセス装置１１１がコンテンツを予め定めた時間以上受信したと判断すると、関門装置１１５に対して、アクセス装置１１１から任意の宛先への通信を可能とさせる。これをもって、アクセス装置１１１は任意のサイトに接続可能となる。
さらに本発明は以下のようにして実現される。
前述の発明において、ユーザのアクセス装置１１１は無線を用い、無線基地局１１２を介して、公衆インターネット接続サービス網に接続を行う。これをもって、アクセス装置１１１は任意のサイトに接続可能となる。
さらに本発明は以下のようにして実現される。
前述の発明における関門装置１１５の機能を、無線基地局１１２内に実装することをもって、公衆インターネット接続サービスのためのシステムを構築する。
【０００８】
さらに本発明は以下のようにして実現される。
前述の発明と同様に関門装置１１５の機能を、無線基地局１１２内に実装するが、その実現手法として、ＶＬＡＮの切替を用いる。
本手順の動作シーケンスを図２に示す。本発明においては、無線基地局１１２は有線インタフェース側に２つのＶＬＡＮ（ＶＬＡＮ  ＩＤ＝＃１とＶＬＡＮ  ＩＤ＝＃２）を設定し、認証装置１１８からの指示に従いアクセス装置（無線ＬＡＮ端末）１１１の収容されるＶＬＡＮを切り替える機能を有する。
ここで、ＶＬＡＮ  ＩＤ＝＃１はインターネットとの接続点を持たない限定ネットワークに対応するＶＬＡＮ、ＶＬＡＮ  ＩＤ＝＃２はインターネットとの接続点を持つインターネット接続ネットワークに対応するＶＬＡＮである。
また、管理装置１１３、もしくは、認証装置１１８は、図３に示すユーザデータのテーブルをもち、デフォルトでは全てのＭＡＣ認証の要求に対して認証成功を返し、その際に、ＶＬＡＮ  ＩＤ＝＃１を指定する。利用者のアクセス装置１１１は、始めにＶＬＡＮ  ＩＤ＝＃１のＶＬＡＮに接続されて、この段階でコンテンツの受信が可能となる。
管理装置１１３は、利用者のアクセス装置１１１からのコンテンツ受信確認メッセージを受信すると図３のテーブルにアクセス装置１１１のＭＡＣアドレス値を追記し、その際に、対応するＶＬＡＮ  ＩＤとして♯２を設定する。その上で、管理装置１１３は無線基地局１１２に対してアクセス装置１１１の帰属解消を指示する。帰属を解消されたアクセス装置１１１は自立的に無線基地局１１２に再接続を実施し、その接続認証の際に、認証装置１１８よりＶＬＡＮ  ＩＤ＝♯２の使用を指示される。これにより、アクセス装置１１１は、インターネット接続ネットワークに収容変えされる。
以上の手順を経て、アクセス装置１１１はインターネット上の任意のサイトに接続可能となる。
【０００９】
さら、本発明は以下のように実現される。
前述のアクセス装置（無線ＬＡＮ端末）１１１は、２段階の認証を経て無線基地局１１２に接続を行う。まず、第一段階の認証により確立した通信路を用いて、第二の認証が実行される。通常、このような場合には、第一の認証により確率した通信路は第二の認証のデータのみを通すことが普通である。しかしながら、本発明では、第一段階の認証により確立した通信路を用いて、ネットワークの特定の領域（前記限定ネットワーク）への疎通を許可する。併せて、第二の認証のデータの疎通を禁止する。その上で、管理装置１１３は、このアクセス装置１１１でのコンテンツ受信を確認した時点で、基地局装置１１２に対して禁止状態の終了を指示する。その後、アクセス装置１１１は第二段階目の認証を完了し、任意のサイトに接続可能となる。
【００１０】
さらに、本発明は以下のようにして実現される。
サービス提供者は、コンテンツと接続許容時間の関係を記した情報を保持し、この情報に基づき、ユーザに対して、受信コンテンツに対応する接続許容時間のみ任意の宛先との通信を許容する。接続許容時間経過後は限定した宛先のみとしか通信できない状態に戻す。加えて、ユーザが複数コンテンツを受信した場合には、各々のコンテンツに対する接続許容時間の総和を算出し、これをもって前記ユーザに対する接続許容時間とする。
さらに本発明は以下のようにして実現される。
前記サービス提供者は、コンテンツと接続品質の関係を記した情報を保持し、この情報に基づき、ユーザに対して、受信コンテンツに対応する接続品質でのネットワーク接続を許容する。
さらに本発明は以下のようにして実現される。
サービス事業者は、コンテンツ提供者に対して広告配信実績の情報を提供し、広告配信に対する対価を受領する。公衆インターネット接続サービス利用するユーザは、広告コンテンツを受信することにより、公衆インターネット接続サービスに対する利用科金を支払うことなくインターネット接続を行う。
本発明の提供するモデルを図４の４０２に示す。なお、本図においては、接続手段として無線ＬＡＮを用いた場合を記述している。
【発明の効果】
【００１１】
本願において開示される発明のうち代表的なものによって得られる効果を簡単に説明すれば、下記の通りである。
本発明によれば、ユーザに広告などのコンテンツを確実に配信することができ、広告などの効果を高めることが可能となる。
【発明を実施するための最良の形態】
【００１２】
以下、図面を参照して本発明の実施例を詳細に説明する。
なお、実施例を説明するための全図において、同一機能を有するものは同一符号を付け、その繰り返しの説明は省略する。
［実施例１］
図５は、本発明の実施例１の、公衆インターネット接続サービスにおけるコンテンツ配信連動による接続制御システムの概略構成を示すブロック図である。
本実施例では、利用者がネットワーク事業者の設備に接続する媒体として、無線ＬＡＮを用いる形態を例に説明する。すなわち、利用者のアクセス装置端末は、無線ＬＡＮ端末であり、ネットワーク事業者は公衆無線ＬＡＮ事業者となる。
図５において、５０１はインターネットを表す。５０２はインターネットへの疎通の経路を持ったネットワーク（以降、インターネット接続ネットワークと表記する）である。
５０３は、インターネットへの直接の経路を持たないネットワーク（以降、限定ネットワークと表記する）である。
５０４は、公衆無線ＬＡＮ接続サービス用のIEEE802.11b、IEEE802.11g、IEEE802.11a、あるいは、これらのうちいくつかの規格に適合する無線ＬＡＮ基地局（以降、単に無線ＬＡＮ基地局と表記する）である。
【００１３】
５０５−１は、公衆無線ＬＡＮ用の基地局を経由して、インターネット接続を希望する利用者、５０５−２は、利用者５０５−１の無線ＬＡＮ端末であり、無線ＬＡＮ基地局５０４に接続するための無線ＬＡＮクライアント機能を有している。
５０６は、インターネット接続ネットワーク５０２と限定ネットワーク５０３との境界に位置し、特定の条件を満たすことによって、利用者のトラヒックをインターネット接続ネットワークに疎通することを許可する関門装置である。
また、本実施例においては、無線ＬＡＮ端末５０５−２にコンテンツを受信させるための誘導装置の機能も兼ねている（以降、関門／誘導装置と表記する）。本装置は、内部に許可ユーザ以外のトラヒックを遮断するゲート機能を持っている。
なお、インターネット上のＤＮＳサーバへの問合わせを許容するために、ＤＮＳに関するプロトコルは無条件に通過を許可する。
５０７は、関門／誘導装置のゲ−トの開閉をコントロ−ルする管理サーバである。本実施例では利用者に対してＷｅｂベ−スのメッセージを表示するためにＨＴＴＰサーバの機能も合わせて実装している。
５０８はコンテンツ配信サーバである。５０９は、インターネット上の任意のＷｅｂサーバである。ステップＳ５０１〜ステップＳ５０９は各種端末、サーバ、装置間でのメッセージの送受を表す。
【００１４】
また、図６に、本実施例の動作シーケンスを示す。ステップＳ６０１〜ステップＳ６０９は各種端末、サーバ、装置間でのメッセージの送受を表す。
また、図７に、本実施例において、利用者の無線ＬＡＮ端末５０５−２上に表示されるＷｅｂページの例を示す。７０１〜７０４はそれぞれの状態における表示画面である。なお、ここでは、これらのページを表示するためのｈｔｍｌファイルは管理サーバ上に配置してあるものとする。
また、本実施例の管理サーバ５０７の機能ブロック例を図１７に示す。
図１７において、１７０１は管理サーバ、１７０２は関門装置、１７０３は無線ＬＡＮ端末である。１７１１はｈｔｔｐ処理部、１７１２はユーザインタフェース部、１７１３はコンテンツリスト管理部、１７１４は端末管理部、１７１５は記録部、１７１６は関門装置制御部である。
ステップＳ１７０１〜ステップＳ１７１５は各種端末、サーバ、装置間および、機能ブロック間でのメッセージの送受をあらわす。
【００１５】
以下、利用者がインターネット上の任意のＷｅｂページを受信するまでの手順を説明する。
利用者５０５−１の無線ＬＡＮ端末５０５−２が、無線ＬＡＮ基地局５０４に無線ＬＡＮを用いて接続する（ステップＳ５０１，ステップＳ６０１）。
この無線ＬＡＮ接続が完了した段階で、利用者５０５−１は、インターネット５０１内の任意のＷｅｂサーバ５０９上にあるコンテンツの取得を試みる。すると、無線ＬＡＮ端末５０５−２は、Ｗｅｂサーバ５０９に向かってＨＴＴＰのリクエストを発信する（ステップＳ５０２，ステップＳ６０２）。
ここで、関門／誘導装置５０６は未許可ユーザからのＨＴＴＰリクエストに対する応答として、ＨＴＴＰのステ−タスコ−ド「３０１」もしくは「３０２」もしくは「３０７」を返す（ステップＳ５０３，ステップＳ６０３）。これらはＨＴＴＰリダイレクト用のコ−ドであり、このコ−ドと共に管理サーバ５０７上のＷｅｂページ７０１のｈｔｍｌファイルを示すＵＲＬを通知すると、Ｗｅｂページ７０１がブラウザ画面上に表示される（ステップＳ５０４，ステップＳ５０５，ステップＳ６０４，ステップＳ６０５，ステップＳ１７０１，ステップＳ１７０２，ステップＳ１７０３，ステップＳ１７０４）。
なお、同様の手順で、リンク用のＷｅｂページ７０１を表示させずに、直接、広告等のコンテンツを利用者の無線ＬＡＮ端末５０５−２のＷｅｂブラウザ上に表示させることも可能である。この際のコンテンツへのリンク情報は、例えば、ユーザインタフェース部１７１２からコンテンツリスト管理部１７１３に問い合わせる（ステップＳ１７０５，ステップＳ１７０６）ことで作成される。
【００１６】
利用者がリンク用のＷｅｂページ７０１からのリンクをたどる、もしくは、強制的にＨＴＴＰリダイレクトされることで、無線ＬＡＮ端末５０５−２はコンテンツ用Ｗｅｂページ７０２のｈｔｍｌファイルを取得し、ブラウザ画面上に表示する（ステップＳ５０６，ステップＳ６０６）。
ボタン７０１２を配置しておき、このボタン７０１２を利用者５０５−１が押下したことを持って、利用者５０５−１が、本コンテンツ用Ｗｅｂページ７０２を上から下まで目を通したとみなす。ボタン７０１２が押下されるとその行動は、管理サーバ５０７にて確認される（ステップＳ５０７，ステップＳ６０７，ステップＳ１７０７，ステップＳ１７０８）。
管理サーバ５０７では、端末管理部１７１４にて本情報を受け、コンテンツリスト管理部１７１３から接続許容時間等の情報を得た後（ステップＳ１７１１，ステップＳ１７１２）、記録部１７１５に記録を残す（ステップＳ１７１３）と同時に、関門装置制御部１７１６に処理を移す（ステップＳ１７１４）。
管理サーバ５０７は関門／誘導装着５０６に通知し、無線ＬＡＮ端末５０５−２に対するインターネット接続ネットワーク５０２へのゲートを開放させる（ステップＳ５０８，ステップＳ６０８，ステップＳ１７１５）。
この状態となった以降は、無線ＬＡＮ端末５０５−２は、Ｗｅｂサーバ５０９に対してＩＰ層にて接続することが可能となる（ステップＳ５０９，ステップＳ６０９）。
【００１７】
また、コンテンツ用Ｗｅｂページ７０２に代わりに、以下のようにすることも可能である。コンテンツ用Ｗｅｂページ７０３を用いてＩＤとパスワ−ドの払い出しを行う。利用者５０５−１がボタン７０１３を押下した段階で、管理サーバ５０７は認証用Ｗｅｂページ７０４を表示し、ＩＤとパスワ−ドの入力を待受ける。
払い出した正しいＩＤとパスワ−ドが入力されたことを確認したことをもって、利用者５０５−１が、本コンテンツ用Ｗｅｂページ７０３を碓実に受信したと判断し、管理サーバ５０７は、関門／誘導装置５０６のゲートを開放させる（ステップＳ５０８，ステップＳ６０８）。
以上の説明において、説明を簡易にするために関門／誘導装置５０６、管理サーバ５０７、コンテンツ配信サーバ５０８は１機能１装置の形態で記載しているが、これは単に実装上のやり方であり、ネットワーク内のどこかにこれらの機能があればよく、１つの装置にこれら機能のうちのいくつか、もしくは全てを実装しても動作自体は変わらない。たとえば、管理サーバ５０７の機能が関門／誘導装置５０６の中に同居していてもかまわない。
【００１８】
［実施例２］
以下、本発明の実施例２として、コンテンツ配信手段にＩＰマルチキャストを用いるための手段を示す。図８は利用者の無線ＬＡＮ端末５０５−２上に表示される画面例である。
実施例１においては、コンテンツ用Ｗｅｂページ７０２が無線ＬＡＮ端末５０５−２上に表示されるとして説明したが、この部分が本実施例においては、コンテンツ表示画面８０２となる。この状態で、あらかじめ決められた時間、利用者５０５−１が映像の受信を継続すると、画面が８０３のように遷移する。この画面遷移を実現する手段は複数存在するが、例えば、JavaScriptのSetTimeoutメソッドにより実現できる。
ここで、利用者５０５−１がボタン８０１３を押下したことは、管理サーバ５０７にて確認できるので、管埋サーバ５０７は、ステップＳ５０８の動作で、関門／誘導装置５０６のゲートを開放させる。
また、もう一例あげると、先において、図８のコンテンツ表示画面８０２が無線ＬＡＮ端末５０５−２上に表示されて、予め決められた時間、利用者５０５−１が映像の受信を継続すると、画面８０４ように遷移する。
ここで、利用者５０５−１がボタン８１４を押下すると、認証用Ｗｅｂ画面８０５が表示され、ここでＩＤとパスワ−ドが正しく入力されると、管理サーバ５０７は関門／誘導装置５０６のゲートを開放させる。
【００１９】
［実施例３］
図９は、本発明の実施例３の、公衆インターネット接続サービスにおけるコンテンツ配信連動による接続制御システムの概略構成を示すブロック図である。
図９において、９０１はインターネットを表す。９０２は、インターネットへの直接の経路を持っていないＶＬＡＮ  ＩＤ＝１のＶＬＡＮである。９０３は、インターネットへの疎通の経路を持ったＶＬＡＮ  ＩＤ＝２のＶＬＡＮである。９０４はインターネットへの疎通の経路を持ったＶＬＡＮ  ＩＤ＝３のＶＬＡＮである。ただし、ＶＬＡＮ９０３とＶＬＡＮ９０４はネットワークの接続品質が異なる。
９０５は、公衆無線ＬＡＮ接続サービス用のIEEE802.11b、IEEE802.11g、IEEE802.11a、あるいは、これらのうちいくつかの規格に適合する無線ＬＡＮ基地局（以降、単に無線ＬＡＮ基地局）である。また、本実施例においては、無線ＬＡＮ基地局９０５が関門装置として動作する。以降、無線ＬＡＮ基地局／関門装置と表記する。
９１０−１は、無線ＬＡＮ用基地局９０５を経由して、インターネット接続を希望する利用者である。９１０−２は利用者の無線ＬＡＮ端末であり、無線ＬＡＮ基地局／関門装置９０５に接続するための無線ＬＡＮクライアント機能を有している。
【００２０】
９１２は、利用者の無線ＬＡＮ端末９１０−２が限定ネットワークに接続した際に、ＩＰプロトコルによるネットワーク接続に必要となる、ＩＰアドレス、ネットマスク、ゲートウェイアドレス、ＤＮＳ等の情報を提供するためのＤＨＣＰサーバである。
９１３は、利用者の無線ＬＡＮ端末９１０−２が限定ネットワークに接続した際にインターネット上の任意のサイトに対してドメイン名にて接続を試みた際に、サーバの実ＩＰアドレスを利用者の無線ＬＡＮ端末９１０−２に通知するためのＤＮＳサーバである。
９１５は、利用者の無線ＬＡＮ端末９１０−２のインターネット接続ネットワーク９０３への疎通の許可をコントロ−ルするための管理用サーバである。９１６は管理サーバ９１５内に置かれた管理テーブルである。テーブルの内容を図１１に示す。
９１７は、コンテンツ配信サーバである。
９１８は、無線ＬＡＮ基地局の認証装置であるＲａｄｉｕｓサーバである。無線ＬＡＮ基地局９０５は端末認証を行い、Ｒａｄｉｕｓサーバ９１８に問い合わせを行い、かつ、Ｒａｄｉｕｓサーバ９１８はデータベース問い合わせを実施する。
Ｌ９０１、Ｌ９０２は、利用者の無線ＬＡＮ端末９１０−２の各ＶＬＡＮへの接続状態をあらわす。
【００２１】
ステップＳ９０１〜ステップＳ９１１は、利用者の無線ＬＡＮ端末９１０−２、及び各種サーバ間でのデータの送受信を表す。
また、図１０に、本実施例の動作シーケンスを示す。本実施例において使用する無線ＬＡＮ基地局９０５は、認証時にＲａｄｉｕｓサーバ９１８からの指示により、利用者９１０−１の無線ＬＡＮ端末９１０−２を収容するＶＬＡＮを振り分ける、認証ＶＬＡＮ機能を有していることとする。
また、本実施例の管理サーバ９１５の機能ブロック例を図１８に示す。図１８において、１８０１は管理サーバ、１８０２は関門装置、１８０３は無線ＬＡＮ端末、１８０４はＲａｄｉｕｓサーバ、１８０５はＤＨＣＰサーバである。
１８１１はｈｔｔｐ処理部、１８１２はユーザインタフェース部、１８１３はコンテンツリスト管理部、１８１４は端末管理部、１８１５は記録部、１８１６は関門装置制御部、１８１７はＤＢ応答対応部である。
ステップＳ１８０１〜ステップＳ１８２１は各種端末、サーバ、装置間および、機能ブロック間でのメッセージの送受をあらわす。
【００２２】
以下、利用者９１０−１がインターネット上の任意のＷｅｂページを受信するまでの手順を説明する。
利用者９１０−１の無線ＬＡＮ端末９１０−２が、無線ＬＡＮ基地局／関門装置９０５に接続を試みる。無線ＬＡＮ端末９１０−２が、無線ＬＡＮ基地局／関門装置９０５に無線ＬＡＮの接続を行う（ステップＳ１００１）と、無線ＬＡＮ基地局／関門装置９０５はＲａｄｉｕｓサーバ９１８に対して、user-nameアトリビュートに利用者の無線ＬＡＮ端末９１０−２のＭＡＣアドレス値をいれたAcces-Requestを送信する（ステップＳ１００２，ステップＳ９０１）。
Ｒａｄｉｕｓサーバ９１８は、管理サーバ９１５に対してデータベース検索の問い合わせを実行する（ステップＳ１００３，ステップＳ９０２，ステップＳ１８１６）。
問い合わせを受けた管理サーバ９１５は、管理テーブル９１６内を検索し、問い合わせのＭＡＣアドレスを検索する。（ステップＳ１８１８）。この管理テーブル９１６は、端末管理部１８１４において管理される。
この段階では、問い合わせを受けたＭＡＣアドレスは存在しないなので、図１１の１１０１に示すように、管理テーブル９１６の最末尾デフォルトのレコードにヒットさせる。そして、データベース検索の問い合わせに対して、あたかも図１１のレコード１１０２がヒットしたかのように振舞う（ステップＳ１８１９）。
【００２３】
Ｒａｄｉｕｓサーバ９１８は、管埋サーバ９１５からのデータベース検索の応答（ステップＳ１００４，ステップＳ９０２，ステップＳ１８１７）により、当該ＭＡＣアドレスに対して接続許可を行ってよいと判断する。また、その際に、取得したＶＬＡＮ  ＩＤ＝１の情報に基づき、利用者の無線ＬＡＮ端末９１０−２の接続先ＶＬＡＮをＶＬＡＮ＃１  ９０２（Ｌ１００１）とする（ステップＳ１００５，ステップＳ９０１）。
また、ステップＳ１００２，１００３の際に、管理サーバ９１５は、
user-name：無線ＬＡＮ端末９１０−２のＭＡＣアドレス値（ＭＡＣ認証使用時）
NAS-ID：無線ＬＡＮ基地局９０５の識別子
NAS-IP-Address：無繰ＬＡＮ基地局９０５のＩＰアドレス
Calling-Station-ID：無線ＬＡＮ端末９１０−２のＭＡＣアドレス値
の情報を取得できる。
この無線ＬＡＮ接続が完了した段階で、無線ＬＡＮ端末９１０−２はＤＨＣＰサーバ９１２より、ＩＰアドレス、ネットマスク、ゲートウェイアドレス、ＤＮＳ等の情報を取得する（ステップＳ１００６，ステップＳ９０３）。
【００２４】
この段階で、利用者９１０−１は、インターネット９０１内の任意のＷｅｂサーバ９２１上のコンテンツの取得を試みる。無線ＬＡＮ端末９１０−２は、任意のＷｅｂサーバ９２１の実ＩＰアドレスを取得するためにＤＮＳサーバ９１３に問い合わせを行う（ステップＳ１００７，ステップＳ９０４）。
ここで、ＤＮＳサーバ９１３は、未許可ユーザからの問い合わせに対しては、Ｗｅｂサーバ９２１のＩＰアドレスではなく、管理サーバ９１５のＩＰアドレス値を無線ＬＡＮ端末９１０−２に対して返す実装とする（ステップＳ１００８，ステップＳ９０４）。この結果、無線ＬＡＮ端末９１０−２は、管理サーバ９１５に向かってＨＴＴＰのリクエストを発信することになる（ステップＳ１００９，ステップＳ９０５，ステップＳ１８０１）。
管理サーバ９１５は、利用者９１０−１に対してＷｅｂページ７０１を返す（ステップＳ１８０４）。この際のコンテンツへのリンク情報は、例えば、ユーザインタフェース部１８１２からコンテンツリスト管理部１８１３に問い合わせる（ステップＳ１８０５，ステップＳ１８０６）ことで作成される。
ここでは、コンテンツ（広告等）として静的なｈｔｍｌファイルをコンテンツ配信サーバ９１７上に配置したとして説明する。
【００２５】
Ｗｅｂページの例については、実施例１で用いた図７を用いて説明する。利用者９１０−１がリンク用のＷｅｂページ７０１からのリンクをたどることで、無線ＬＡＮ端末９１０−２はコンテンツ用Ｗｅｂページ７０２のｈｔｍｌファイルを取得し、ブラウザ画面上に表示する（ステップＳ１０１１，ステップＳ９０６）。
利用者９１０−１が、ボタン７０１２を押下すると、その行動は管理サーバ９１５にて確認される（ステップＳ１０１２，ステップＳ９０７）。管理サーバ９１５が、利用者９１０−１のコンテンツ受信を判定した段階で、管理サーバ９１５は、無線ＬＡＮ基地局／関門装置９０５によるネットワークの切り替え動作を開始する。
以下にその手順を示す。利用者９１０−１がボタン７０１２が押下した時点で、管理サーバ９１５は、無線ＬＡＮ端末９１０−２上のブラウザ画面に、ネットワーク切り替え中をアナウンスする画面を表示する（ステップＳ１０１３，ステップＳ９０８）。
管理サーバ９１５は、ＤＨＣＰサーバ９１２に対して状態確認を行い、無線ＬＡＮ端末９１０−２の使用しているＩＰアドレスにひもづくＭＡＣアドレス値を取得する（ステップＳ１０１４，ステップＳ１０１５，ステップＳ９０９，ステップＳ１８２０，ステップＳ１８２１）。
【００２６】
そして、端末管理部１８１４にて、コンテンツリスト管理部１８１３から接続許容時間、接続品質等の情報を得た後（ステップＳ１８１１，ステップＳ１８１２）、管理テーブル９１６を更新し、管理テーブル９１６に、図１１の１１０２に示すように、当該ＭＡＣアドレスのレコードを追加する。その際に、当該ＭＡＣアドレスのＶＬＡＮ  ＩＤフィールドには２を設定する。
ここで、接続するネットワーク品質に応じてＶＬＡＮ  ＩＤを、無線ＬＡＮ端末ごとに異なる値とすることができるが、ここでは、ＶＬＡＮ  ＩＤ＝２とした場合を例に示す。
管理サーバ９１５は、無線ＬＡＮ基地局／関門装置９０５に対して、当該無線ＬＡＮ端末９１０−２のＭＡＣアドレス値を指定して、関門装置制御部１８１６を経由し、無線の切断処理を指示する（ステップＳ１０１６，ステップＳ９１０，ステップＳ１８１５）。
ここで、無線切断された無線ＬＡＮ端末９１０−２は、自律的に再接続を実施する（ステップＳ１０１７）。利用者の無線ＬＡＮ端末９１０−２が無線ＬＡＮ基地局／関門装置９０５に無線ＬＡＮの再接続を行うと、無線ＬＡＮ基地局／関門装置９０５は、Ｒａｄｉｕｓサーバ９１８に対して、user-nameアトリビュートに利用者の無線ＬＡＮ端末９１０−２のＭＡＣアドレス値をいれたAcces-Requestを送信する（ステップＳ１０１８，ステップＳ９０１）。
【００２７】
Ｒａｄｉｕｓサーバ９１８は、管理サーバ９１５に対して管理テーブル９１６内の検索の問い合わせを実行する（ステップＳ１０１９，ステップＳ９０２，ステップＳ１８１６）。
問い合わせを受けた管理サーバ９１５は、管理テーブル９１６内を検索し、問い合わせのＭＡＣアドレスを検索する。
結果、無線ＬＡＮ端末９１０−２のＭＡＣアドレスが存在していることから、図１１の１１０３に示すように、当該レコードが選択される。そして、データベース検索の問い合わせに対して、あたかも図１１のレコード１１０４がヒットしたかのように振舞う。
Ｒａｄｉｕｓサーバ９１８は、管理サーバ９１５に対するデータベース検索の結果（ステップＳ１０２０，ステップＳ９０２，ステップＳ１８１７）、当該ＭＡＣアドレスに対して接続許可を行ってよいと判断する。また、その際、取得したＶＬＡＮ  ＩＤ＝２の情報に基づき、利用者の無線ＬＡＮ端末９１０−２の接続先ＶＬＡＮをＶＬＡＮ＃２（９０３）とする（ステップＳ１０２１，ステップＳ９０１）。この状態がＬ９０２、Ｌ１００２である。
【００２８】
ここで、図１１に示すように、管埋テーブル９１６のＴｉｍｅｒフィールドの情報（ここでは、１００ｍｓ）も合わせてＲａｄｉｕｓサーバ９１８に渡される（ステップＳ１０２０）、それにより、Ｒａｄｉｕｓサーバ９１８は、Access-Acceptメッセージ（ステップＳ１０２１）内にアトリビュートとして、session-timeout＝１００を付加する。
この状態となった以降は、無線ＬＡＮ端末９１０−２は、Ｗｅｂサーバ９２１に対してＩＰ層にて接続することが可能となる（ステップＳ１０２２，ステップＳ９１１）。
なお、無線ＬＡＮ基地局／関門装置９０５は、session-timeoutにて指定された時間経過した段階で、無線ＬＡＮ端末９１０−２の無線接続を終了させる。
管理サーバ９１５では、一定時間経過後、管埋テーブル９１６から当該ＭＡＣアドレスを削除し、管理テーブル９１６を図１１の１１０１に示す状態としておく。
【００２９】
［実施例４］
図１２は、本発明の実施例４の、公衆インターネット接続サービスにおけるコンテンツ配信連動による接続制御システムの動作シーケンスを示す図である。
本実施例は、２段階認証の一例として、IEEE802.1xの認証を用い、一段目の認証をオープン認証、２段目の認証をEAP-TLSを用いている。
また、図１９に、本実施例の管理サーバの機能ブロック例を示す。図１９において、１９０１は管理サーバ、１９０２は関門装置、１９０３は無線ＬＡＮ端末、１９０４はＤＨＣＰサーバである。
１９１１はｈｔｔｐ処理部、１９１２はユーザインタフェース部、１９１３はコンテンツリスト管理部、１９１４は端末管理部、１９１５は記録部、１９１６関門装置制御部、１９１７はストレージ部である。
ステップＳ１９００〜ステップＳ１９２４は各種端末、サーバ、装置間および、機能ブロック間でのメッセージの送受を表す。
【００３０】
以下、利用者がインターネット上の任意のＷｅｂページを受信するまでの手順を説明する。
無線ＬＡＮ端末１２１０−２が、無線ＬＡＮ基地局９０５に接続をしてきた際（ステップＳ１２０１）に、オープン認証が完了する（ステップＳ１２０２）。これは、IEEE802.1xの規格上、下位互換性を推持するために必須の動作となっている。通常、次のフェ−ズとしてＥＡＰ認証が実行され、本認証が完了するまでは無線ＬＡＮ端末１２１０−２はネットワーク内の装置との通信は許可されない。
ここで、本実施例では、無線ＬＡＮ基地局１２０５にて以下の動作を行う。
無線ＬＡＮ端末１２１０−２からのＥＡＰ認証の要求メッセージ（ステップＳ１２０４）をブロックし、無線ＬＡＮ基地局１２０５にて廃棄し、その情報を管理サーバ１２１５に通知する（ステップＳ１２０３，ステップＳ１９００）。このブロックの動作は、管理サーバ１２１５からの解除の指示が来るまで継続される。
オープン認証で接続した無線ＬＡＮ端末１２１０−２に対しては、特定のネットワークへの疎通を許可する。結果、この段階で、無線ＬＡＮ端末１２１０−２は、網内のＤＨＣＰサーバ１２１２からＩＰアドレスを取得し（ステップＳ１２０５）、実施例３と同様の手順（ステップＳ１２０６）により、コンテンツの受信を行うことが可能となる（ステップＳ１２０７）。
【００３１】
無線ＬＡＮ端末１２１０−２でのコンテンツ受信を確認（ステップＳ１２０８，ステップＳ１９０７，ステップＳ１９１１０）した管理サーバ１９０１は、無線ＬＡＮ端末１２１０−２に対して、この公衆スポットにおいて利用できるクライアント証明書のダウンロードページを表示する（ステップＳ１９１０）。
この結果、無線ＬＡＮ端末１２１０−２は証明書を入手する（ステップＳ１２０９，ステップＳ１９２２，ステップＳ１９２３，ステップＳ１９２４，ステップＳ１９２５）。なお、ここでは、証明書ファイルを管理サーバ１９０１内のストレージ部１９１７内に保管してあるものとしている。また、証明書ファイルに代えて、２段階目の認証に際して必要となる電子ファイル（例えば、認証動作を実行させる専用プログラム）を、無線ＬＡＮ端末１２１０−２に渡すようにしてもよい。
このとき、管理サーバ１２１５は、合わせてＤＨＣＰサーバ１２１２から、当該無線ＬＡＮ端末１２１０−２のＩＰアドレスとＭＡＣアドレスの対応関係を取得する（ステップＳ１２１０，ステップＳ１９２０，ステップＳ１９２１）。
そして、管理サーバ１２１５は、無線ＬＡＮ基地局１２０５に対して関門装置制御部１９１６を経由し、当該ＭＡＣアドレスの無線ＬＡＮ端末１２１０−２に対するブロックの解除命令を送信する（ステップＳ１２１１，ステップＳ１９１５）。
本動作後、IEEE802.1xの認証が完了（ステップＳ１２１２，ステップＳ１２１３）し、インターネットの利用が可能となる（ステップＳ１２１４）。
【００３２】
［実施例５］
本発明の実施例５として、実施例１の場合を例にとり、利用者に対して閲覧コンテンツに応じた接続許容時間や、ネットワーク接続品質を適用する動作について説明する。
管理サーバ５０７は、図１３に示すコンテンツ管理テーブル１３０１をもって、コンテンツと接続許容時間の関係を管理する。本テーブルは、コンテンツリスト管理部１７１３において管理される。例えば、配信に用いたコンテンツがコンテンツＩＤ＝１００００１であった場合、許容時間は６０分となる。加えて、ＱｏＳポリシーは１となる。
ここで、ＱｏＳポリシーについては、予め、ＱｏＳ  Ｐｏｌｉｓｙ＝１：帯域制限１Ｍｂｐｓ、ＱｏＳ  Ｐｏｌｉｓｙ＝２：帯域制限５Ｍｂｐｓ、ＱｏＳ  Ｐｏｌｉｓｙ＝３：帯域制限なしといった設定を行っておく。また、図１４に示すように、利用者にコンテンツを選択させる方法も可能である。
さらに、図１５のＷｅｂページ１５０１ように、利用者に複数のコンテンツを選択させて、各々のコンテンツに設定された接続許容時間の合計を総接続許容時間とする方法も可能である。
【００３３】
Ｗｅｂページ１５０１は、実施例１におけるＷｅｂページ７０１に相当するＷｅｂページである。利用者はＷｅｂページ１５０１において受信コンテンツを選択し、その結果に応じて、１５０２と１５０３の遷移をコンテンツ数分繰り返す。
選択したコンテンツを全て受信し終わった段階で、Ｗｅｂページ１５０４に遷移し、インターネット接続のためのＩＤとパスワ−ドを入手する。この際に、管理サーバ５０７（管理サーバ１７０１内の端末管理部１７１４）においては、利用者５０５−１の選択したコンテンツとコンテンツ管理テーブル１３０１の情報から、利用者の無線ＬＡＮ端末５０５−２に対してインターネット接続許容する総許容時間Ｔを算出する。例えば、選択したコンテンツが、ＡＡＡＡ，ＢＢＢＢ，ＣＣＣＣであれば、Ｔ＝６０＋１０＋３０＝１００分となる。
実施例１において、このＴ＝１００分でインターネット接続を終了させるために、管理サーバ５０７が関門／誘導装置５０６に接続許可を与える動作（ステップＳ６０８）の際に、この接続許容時間を合わせて通知し、関門／誘導装置５０６は接続開始時よりタイマーを動作させて、指定時間経過後にインターネット接続ネットワーク５０２へのゲートを閉じる動作を行う。
【００３４】
［実施例６］
図１６は、本発明の実施例６の構成を示すブロック図である。
図１６において、１６０１は広告配信希望者、１６０２は公衆無線ＬＡＮ事業者、１６０３は利用者、１６３０はインターネット、１６３１は公衆無線ＬＡＮ事業者のネットワーク、１６３２は公衆無線ＬＡＮスポット、１６４０はコンテンツ配信サーバ、１６４１は管理サーバ、１６４２は関門装置、１６４３は無線ＬＡＮ基地局、１６４４は利用者の無線ＬＡＮ端末、ステップＳ１６０１〜ステップＳ１６０９は動作、信号、メッセージ等を表す。
広告配信希望者１６０１は、公衆無線ＬＡＮ事業者２００２に対して広告用コンテンツを提供する（ステップＳ１６０１）。
公衆無線ＬＡＮ事業者１６０２はコンテンツを配信に適する形に整形し、配信サーバ１６４０に配置する（ステップＳ１６０２）。一方、公衆無線ＬＡＮスポット１６３２の利用を希望する利用者１６０３は無線ＬＡＮ基地局１６４３に接続し、前述の実施例１に示した手順により、配信サーバ１６４０よりコンテンツを受信する（ステップＳ１６０３）。
【００３５】
管埋サーバ１６４１は、利用者１６０３のコンテンツ受信完了のメッセージ（ステップＳ１６０４）をもって、関門装置１６４２のゲートを開けて、利用者の無線ＬＡＮ端末１６４４に対してインターネット１６３０への疎通（ステップＳ１８０６）を提供する。
この段階で、利用者１６０３は金銭的な対価を支払うことなくインターネットを利用する。
管理サーバ１６４１では、単に一方向に広告コンテンツを表示したという事実のみではなく、利用者が前記当広告コンテンツを受信した上で起こしたアクションを記録し、ログとして出力する（ステップＳ１６０７）。
公衆無線ＬＡＮ事業者１６０２はこのログを解析し、コンテンツ配信に対する対価を算出し、広告配信希望者１６０１に請求する（ステップＳ１６０８）。
本報告内容に基づき、広告配信希望者１６０１は、公衆無線ＬＡＮ事業者１６０２に対して、対価を支払う（ステップＳｌ６０９）。公衆無線ＬＡＮ事業者１６０２は、公衆無線ＬＡＮ接続サービス自体を提供することに対する対価を、利用者１６０３ではなく、広台配信希望者１６０１から得ることにより、公衆無線ＬＡＮ接続サービスを運用することができる。
【００３６】
以上説明したように、本実施例によれば、公衆インターネット接続サービスを利用するユーザに特化してコンテンツ（広告等）を配信することが可能となり、また、コンテンツ受信のフェーズを、利用者がインターネット接続を完了するまでの接続手順の中に組み入れることで、利用者にコンテンツを受信する動機を与え、広告効果を高めることが可能となる。
さらに、コンテンツ配信手段にＩＰマルチキャストを用いて、かつ、ユーザが十分な時間のコンテンツ受信を実施させることが可能となる。
さらに、利用者が２段階の認証、例えば、IEEE802.1xのような認証を使用する場合においても、本発明の効果を発挿することが可能となる。
さらに、一回のコンテンツ視聴によって許可されるインターネットへの接続時間を制限することが可能となり、無為にネットワークリソースを消費するケ−スを抑制できる。また、長時間に渡ってインターネット接続を行う利用者に対しては一定時間おきに再度コンテンツを受信してもらえる仕租みを提供することが可能となる。
【００３７】
さらに、利用者に対して、複数のコンテンツを受信してもらうための仕組みを提供することが可能となる。
さらに、視聴コンテンツによって提供するネットワーク品質を変えることで、サービス事業者は、ユーザの閲覧したコンテンツに応じて、異なる品質のサービス提供が可能となる。
さらに、利用者は料金を支払うことなく公衆インターネット接続サービスを利用できる。また、サービス事業者としても、この接続を無償で提供するのではなく、対応する対価を広告収入から得ることが可能となる。
なお、本発明の装置は、コンピュータとプログラムによって実現でき、プログラムを記録媒体に記録することも、ネットワークを通して提供することも可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００３８】
【図１】本発明の公衆インターネット接続サービスにおけるコンテンツ配信連動による接続制御システムの一例の動作シーケンスを示す図である。
【図２】本発明の公衆インターネット接続サービスにおけるコンテンツ配信連動による接続制御システムの他の例の動作シーケンスを示す図である。
【図３】図２に示す接続制御システムに使用される管理テーブルを示す図である。
【図４】接続料金負担の形態を示すである。
【図５】本発明の実施例１の概略構成を示すブロック図である。
【図６】本発明の実施例１の動作シーケンスを示す図である。
【図７】本発明の実施例１において、無線ＬＡＮ端末上に表示されるＷｅｂページの画面イメージである。
【図８】本発明の実施例２において、無線ＬＡＮ端末上に表示されるＷｅｂページの画面イメージである。
【図９】本発明の実施例３の概略構成を示すブロック図である。
【図１０】本発明の実施例３の動作シーケンスを示す図である。
【図１１】本発明の実施例３の管理テーブルを説明するための図である。
【図１２】本発明の実施例４の動作シーケンスを示す図である。
【図１３】本発明の実施例５のコンテンツ管理テーブルを説明するための図である。
【図１４】本発明の実施例５において、無線ＬＡＮ端末に表示されるＷｅｂページの画面イメージである。
【図１５】本発明の実施例５において、無線ＬＡＮ端末に表示されるＷｅｂページの画面イメージである。
【図１６】本発明の実施例６の概略構成を示すブロック図である。
【図１７】本発明の実施例１の管理サーバの一例の概略構成を示す機能ブロック図である。
【図１８】本発明の実施例３の管理サーバの一例の概略構成を示す機能ブロック図である。
【図１９】本発明の実施例４の管理サーバの一例の概略構成を示す機能ブロック図である。
【符号の説明】
【００３９】
１１１  アクセス装置
１１２  無線基地局
１１３  管理装置
１１４  誘導装置
１１５，５０６，１６４２，１７０２，１８０２，１９０２  関門装置
１１６  配信装置
１１７，５０９  Ｗｅｂサーバ
１１８  認証装置
５０１，９０１，１６３０  インターネット
５０２  インターネット接続ネットワーク
５０３  限定ネットワーク
５０４，９０５，１２０５，１６４３  無線ＬＡＮ基地局
５０５−１，９１０−１，１６０３  利用者
５０５−２，９１０−２，１２１０−２，１６４４，１７０３，１８０３，１９０３  無線ＬＡＮ端末
５０７，９１５，１２１５，１６４１，１７０１，１８０１，１９０１  管理サーバ
５０８，９１７，１２１７，１６４０  コンテンツ配信サーバ
７０１〜７０４，８０１〜８０５，１４０１，１５０１〜１５０４  Ｗｅｂ画面例
７０１２〜７０１４，８１３〜８１５  Ｗｅｂ画面上のボタン
９０２，９０３，９０４  ＶＬＡＮ
９１２，１２１２，１８０５，１９０４  ＤＨＣＰサーバ
９１３，１２１３  ＤＮＳサーバ
９１６  管理テーブル
９１８，１２１８，１８０４  Ｒａｄｉｕｓサーバ
１３０１  コンテンツ管理テーブル
１６０１  広告配信希望者
１６０２  公衆無線ＬＡＮ事業者
１６３１  ネットワーク
１６３２  公衆無線ＬＡＮスポット
１７１１，１８１１，１９１１  ｈｔｔｐ処理部
１７１２，１８１２，１９１２  ユーザインタフェース部
１７１３，１８１３，１９１３  コンテンツリスト管理部
１７１４，１８１４，１９１４  端末管理部
１７１５，１８１５，１９１５  記録部
１７１６，１８１６，１９１６  関門装置制御部
１８１７  ＤＢ応答対応部
１９１７  ストレージ部
【図１】
2008060930.tif 000003
【図２】
2008060930.tif 000004
【図３】
2008060930.tif 000005
【図４】
2008060930.tif 000006
【図５】
2008060930.tif 000007
【図６】
2008060930.tif 000008
【図７】
2008060930.tif 000009
【図８】
2008060930.tif 000010
【図９】
2008060930.tif 000011
【図１０】
2008060930.tif 000012
【図１１】
2008060930.tif 000013
【図１２】
2008060930.tif 000014
【図１３】
2008060930.tif 000015
【図１４】
2008060930.tif 000016
【図１５】
2008060930.tif 000017
【図１６】
2008060930.tif 000018
【図１７】
2008060930.tif 000019
【図１８】
2008060930.tif 000020
【図１９】
2008060930.tif 000021